(57)【要約】【課題】  放射性物質の汚染地帯は極めて広範囲であり、環境省の「除染関係ガイドライン」に沿った除染対策には限界がある。特に山林地帯や里山などの全域への除染対策は困難である。このような放射性物質の除染対策が困難な汚染地帯では、放射性物質が雨水や重力等により人間の生活環境区域（人里）へ流下、移動し、環境中の被ばく線量の増加が懸念される。【解決手段】  山林地帯や里山などの山腹や人里との境界域に、パーライトを詰め入れた藁製の袋を敷設した開渠を設け、雨水等により流下、移動する放射性物質（放射性物質が付着した土、枝葉や落ち葉など）を前記開渠中のパーライト粒子の多孔質部分に付着させ除去するとともに、前記開渠の遮断層（排水層）としての働きにより放射性物質の雨水等による人間の生活環境区域（人里）への流下、移動を抑制することを特徴する方法など。【選択図】図１
2014142320.tif 000002
【特許請求の範囲】
【請求項１】
山林地帯や里山などの山腹や人里との境界域に黒曜石又は真珠岩を焼成加工して発泡させた粒体（以下、パーライト）を敷き詰めた開渠を設け、雨水や重力等により流下、移動する放射性物質（放射性物質が付着した土、枝葉や落ち葉など）を前記開渠中のパーライトの多孔質部分に付着させ除去するとともに、前記開渠の遮断層（排水層）としての働きにより放射性物質の雨水や重力等による人間の生活環境区域（人里）への流下、移動を抑制することを特徴とする方法。
【請求項２】
俵などの袋に黒曜石又は真珠岩を焼成加工して発泡させた粒体（以下、パーライト）を詰め入れ、これを山林地帯や里山の河川の堰堤や河川床などに敷設し、河川水を前記袋の中のパーライトの粒子層を通過させた後に流下させることにより放射性物質（放射性物質が付着した土、枝葉や落ち葉など）を前記パーライトの多孔質部分に付着させ除去し、放射性物質の農作地（水田など）や人間の生活環境区域（人里）への流下、移動を抑制することを特徴とする方法。
【発明の詳細な説明】
【技術分野】
【０００１】  本発明は、黒曜石又は真珠岩を焼成加工して発泡させた粒体（以下、パーライト）を用いて土壌や植物など固体に付着する放射性物質を除染（除去）、及び遮断（移動抑制）する技術に関する。
【背景技術】
【０００２】  現在、放射性物質の汚染地帯では、環境中にある放射性物質による被ばく線量を低減するため、環境省の「除染関係ガイドライン」に沿った除染対策として、放射性物質を「取り除く（放射性物質が付着した表土、枝葉や落ち葉の除去など）」、「遮る（放射性物質を土やコンクリートなどで覆う）」、「遠ざける（放射性物質を人間から遠ざける）」の３つの方法が用いられている。しかしながら、放射性物質の汚染地帯は極めて広範囲であり、これらの方法によるすべての汚染地帯への除染対策には限界がある。特に山林地帯や里山などの全域への除染対策は困難である。このような放射性物質の除染対策が困難な汚染地帯では、放射性物質が雨水や重力等により人間の生活環境区域（人里）へ流下、移動し、環境中の被ばく線量の増加が重大な問題となる。
【発明の概要】
【発明が解決しようとする課題】
【０００３】  本発明は上述の問題に鑑みてなされたものであり、本発明の目的は、山林地帯や里山など、従来技術（環境省の「除染関係ガイドライン」に沿った方法）では放射性物質の除染が困難な場所の対策として、放射性物質を除染（放射性物質が付着した土、枝葉や落ち葉などを除去）するとともに、放射性物質の雨水や重力等による人間の生活環境区域（人里）への流下、移動を抑制する方法を提供し、上述の問題を解決することにある。
【課題を解決するための手段】
【０００４】  上述の目的を達成するための手段として、請求項１、２に記載の放射性物質の除染（放射性物質が付着した土、枝葉や落ち葉などの除去）、及び遮断（移動抑制）する方法を用いる。請求項１、２に記載するパーライトは、きわめて軽量（比重が約０．１）で前記パーライトの粒子層は土壌表面上や水面上及び土壌中に分離層（遮断層）を形成しやすいこと、多孔質構造の鉱物で透水性を有し前記パーライトの粒子層は排水層を形成しやすいこと、成分構成（二酸化ケイ素、酸化アルミニウム、酸化ナトリウム、酸化カルシウム、酸化カリウムなど）が自然環境に無害・有益（土壌改良材）であること、粒径が約１〜５０ｍｍと広範囲で用途に応じて選択できることなどの特質を有する。請求項１、２に記載する方法は、この特質を活用して放射性物質の除染（放射性物質が付着した土、枝葉や落ち葉などの除去）と遮断（移動抑制）することを特徴とする。請求項１と請求項２の方法を以下に記述する。【０００５】  請求項１に記載する方法は、山林地帯や里山などの山腹や人里との境界域にパーライトを敷き詰めた開渠を設け、雨水や重力等により流下、移動する放射性物質（放射性物質が付着した土、枝葉や落ち葉など）を前記開渠中のパーライトの多孔質部分に付着させ除去するとともに、前記開渠の遮断層（排水層）としての働きにより放射性物質の雨水や重力等による人間の生活環境区域（人里）への流下、移動を抑制することを特徴とする。【０００６】  請求項２に記載する方法は、俵などの袋にパーライトを詰め入れ、これを山林地帯や里山の河川の堰堤や河川床などに敷設し、河川水を前記の袋の中のパーライトの粒子層を通過させた後に流下させることにより放射性物質（放射性物質が付着した土、枝葉や落ち葉など）を前記パーライトの多孔質部分に付着させ除去し、放射性物質の農作地（水田など）や人間の生活環境区域（人里）への流下、移動を抑制することを特徴とする。
【発明の効果】
【０００７】  本発明により、次のような顕著な効果を奏する。【０００８】  山林地帯や里山など、従来技術（環境省の「除染関係ガイドライン」に沿った方法）では放射性物質の除染が困難な場所の対策として、請求項１に記載の方法を用いることにより、自然環境へ悪影響を与えることなく、雨水や重力等により流下、移動する放射性物質（放射性物質が付着した土、枝葉や落ち葉など）をパーライトの多孔質部分に付着させ除去することができる。更に、前記パーライトの多孔質部分に付着もしくは吸着されず除去することができなかった微細な放射性物質や雨水など水に溶出している放射性物質は、前記パーライトの粒子層の排水層（遮断層）としての働きによって、この層に沿って雨水や湧水など水とともに流下、移動させ、谷方向への直接の流下や人間の生活環境区域（人里）への流下、移動を抑制することができる。なお、パーライトの大きさ（粒径）は約１〜５０ｍｍの広範囲で用途に応じて選択でき、粒径の大きいパーライトを用いて透水性を高め排水効果を上げたり、粒径の小さいパーライトを用いて多孔質部分に付着させる放射性物質（放射性物質が付着した土、枝葉や落ち葉など）の除去効果を上げたり、用途に応じた選択が可能である。【０００９】  また、山林地帯や里山など、従来技術（環境省の「除染関係ガイドライン」に沿った方法）では放射性物質の除染が困難な場所の対策として、これらの場所から河川を経て、農作地（水田など）や人間の生活環境区域（人里）へ流下、移動する放射性物質（放射性物質が付着した表土、枝葉や落ち葉など）に対しては、請求項２に記載する方法を用いることにより、自然環境へ悪影響を与えることなく、放射性物質（放射性物質が付着した土、枝葉や落ち葉など）をパーライトの多孔質部分に付着させ除去し、放射性物質の農作地（水田など）や人間の生活環境区域（人里）への流下、移動を抑制することができる。なお、請求項１と同様、パーライトの大きさ（粒径）は約１〜５０ｍｍの広範囲で用途に応じて選択でき、粒径の大きいパーライトを用いて透水性を高め排水効果を上げたり、粒径の小さいパーライトを用いて多孔質部分に付着させる放射性物質（放射性物質が付着した土、枝葉や落ち葉など）の除去効果を上げたり、用途に応じた選択が可能である。
【発明を実施するための形態】
【００１０】  次に、本発明を実施するための形態について、請求項１と請求項２のそれぞれの方法の好適な実施の形態を挙げ、以下に説明する。
【００１１】  請求項１に記載する方法を用いた実施の形態は、従来技術では放射性物質の取り除き（放射性物質が付着した表土、枝葉や落ち葉の除去など）が困難な山林地帯や里山などの山腹や人里との境界域に、パーライトを敷き詰めた開渠を設け、雨水や重力等により山方向から流下、移動する放射性物質（放射性物質が付着した土、枝葉や落ち葉など）を前記開渠中に流入、移入させ、パーライトの多孔質部分に付着させ除去するものである。また、前記パーライトの多孔質部分に付着もしくは吸着されず除去することができなかった微細な放射性物質や雨水など水に溶出している放射性物質は、前記開渠中のパーライトの粒子層の排水層（遮断層）としての働きによって、この層に沿って雨水や湧水などの水とともに流下、移動させ、これによって谷方向への直接の流下や人間の生活環境区域（人里）への流下、移動を抑制するものである。なお、前記開渠中のパーライト粒子の大きさ（粒径）は、約１〜５０ｍｍの広範囲で用途に応じて選択でき、粒径の大きいパーライトを用いて透水性を高め排水効果を上げたり、粒径の小さいパーライトを用いて粒子の多孔質部分に付着させる放射性物質（放射性物質が付着した土、枝葉や落ち葉など）の除去効果を上げたり、用途に応じた選択が可能である。ただし、前記開渠中に敷き詰めたパーライトの雨風などによる流出防止とパーライトの粒子層の強度確保のためには、前記パーライトの粒子層の上に放射性物質に汚染されていない客土を載せる、または前記開渠中のパーライトを俵などの袋に詰め入れた後に前記開渠中に敷き詰めることが必要である。
【００１２】  請求項２に記載する方法を用いた実施の形態は、従来技術では放射性物質の取り除き（放射性物質が付着した表土、枝葉や落ち葉の除去など）が困難な山林地帯や里山などから農作地（水田など）や人間の生活環境区域（人里）に流れる河川に、パーライトを詰め入れた俵などの袋を積み上げ堰堤を設ける、または、パーライトを詰め入れた俵などの袋を河川床などに敷設し、河川水を前記俵などの袋の中のパーライトの粒子層を通過させた後に流下させることにより放射性物質（放射性物質が付着した土、枝葉や落ち葉など）をパーライトの多孔質部分に付着させ除去し、放射性物質の農作地（水田など）や人間の生活環境区域（人里）への流下、移動を抑制するものである。なお、袋に詰め入れるパーライトの大きさ（粒径）は、約１〜５０ｍｍの広範囲で用途に応じて選択でき、粒径の大きいパーライトを用いて透水性を高め河川水の流下量を上げたり、粒径の小さいパーライトを用いて多孔質部分に付着させる放射性物質（放射性物質が付着した土、枝葉や落ち葉など）の除去効果を上げたり、用途に応じた選択が可能である。
【００１３】  以上、請求項１と請求項２のそれぞれの方法の好適な実施の形態を挙げた。なお、ここで挙げた実施の形態ではパーライト（黒曜石又は真珠岩を焼成加工して発泡させた粒体）を用いているが、パーライトに替えて石英成分を含む鉱石を焼成加工して発泡させた粒体を同様に用いても、効率や選択性などに関しては好適とは言えないが類似した効果はある。
【実施例】
【００１４】  次に、本発明の代表的な実施例を図１に基づいて説明する。図１は、請求項１に記載する方法の代表的な実施例を示す概略縦断面図である。里山の山腹の除染困難地帯３と除染済み地帯２の境界に沿って、斜面の土壌６を掘って開渠５（幅３０ｃｍ）を設け、前記開渠５の谷側１には木製土留め７（高さ２０ｃｍ）設け、前記開渠５にパーライト８（粒径５〜２０ｍｍ）を詰め入れた藁製の袋９（直径３０ｃｍ×幅６０ｃｍ）を敷設する。この実施例によって、雨水や重力等により山側４から流下、移動する放射性物質（放射性物質が付着した土、枝葉や落ち葉など）は、前記開渠５中に流入、移入し、パーライト８の多孔質部分に付着され除去される。また、前記パーライト８の多孔質部分に付着もしくは吸着されず除去されなかった微細な放射性物質や雨水など水に溶出している放射性物質は、前記開渠５中パーライト８の粒子層の排水層（遮断層）としての働きによって、この層に沿って雨水や湧水などの水とともに流下、移動し、これによって谷側１への直接の流下や人間の生活環境区域（人里）への流下、移動を抑制することができる。なお、前記開渠５中のパーライト８の大きさ（粒径）は、土、枝葉や落ち葉などの形状・大きさが大きく異なるものもパーライト８の多孔質部分に付着できるように、約５〜２０ｍｍと広範囲に選定した。
【図面の簡単な説明】
【００１５】
【図１】  本発明の代表的な実施例を示す概略縦断面図である。
【符号の説明】
【００１６】  １  谷側
２  除染済み地帯
３  除染困難地帯
４  山側
５  開渠（幅３０ｃｍ）
６  斜面の土壌
７  木製土留め（高さ２０ｃｍ）
８  パーライト（粒径５〜２０ｍｍ）
９  藁製の袋（直径３０ｃｍ×幅６０ｃｍ）
【図１】
2014142320.tif 000003